(57)【特許請求の範囲】
【請求項１】
風力発電装置（１）又はウインドパーク（１１２）によって電気供給ネットに電気エネルギを供給するための方法であって、
・風力発電装置（１）又はウインドパーク（１１２）は風速が変化する風の運動エネルギを電気エネルギに変換し、
・風力発電装置（１）又はウインドパーク（１１２）は有効電力（Ｐ）と無効電力（Ｑ）を供給するよう構成され、
・供給されるべき無効電力（Ｑ）は風速（ＶＷ）に依存して調節されること、
荒天始風速（ＶＳＡ）を超える領域において、
・無効電力（Ｑ）は風速（ＶＷ）の上昇と共に増大され、及び／又は
・無効電力（Ｑ）は風速（ＶＷ）の低下と共に減少されること
を特徴とする方法。
【請求項２】
風力発電装置（１）又はウインドパーク（１１２）がその保護のために抑制制御される荒天始風速（ＶＳＡ）を超えて風速（ＶＷ）が上昇する場合、無効電力（Ｑ）が増大されること
を特徴とする請求項１の方法。
【請求項３】
荒天始風速（ＶＳＡ）を超える領域において、
・無効電力（Ｑ）は、風力発電装置（１）又はウインドパーク（１１２）が電気供給ネット（１４）に有効電力（Ｐ）を最早供給しない荒天上限風速（ＶＳＥ）に風速（ＶＷ）が達するまで、風速（ＶＷ）の上昇と共に連続的に増大され、及び／又は
・無効電力（Ｑ）は、風速（ＶＷ）が荒天始風速（ＶＳＡ）に達するまで、荒天上限風速（ＶＳＥ）未満の範囲で風速（ＶＷ）の低下と共に連続的に減少されること
を特徴とする請求項１又は２の方法。
【請求項４】
・風力発電装置（１）又はウインドパーク（１１２）は公称有効電力（ＰＮ）を供給するよう構成され、及び
・荒天始風速（ＶＳＡ）を超える風速（ＶＷ）では、供給無効電力（Ｑ）は、値について、公称有効電力（ＰＮ）より大きいこと
を特徴とする請求項１〜３の何れかの方法。
【請求項５】
荒天始風速（ＶＳＡ）を超える風速（ＶＷ）は、荒天始風速（ＶＳＡ）と荒天上限風速（ＶＳＥ）の間の荒天中間風速（ＶＳＭ）を超えていること
を特徴とする請求項４の方法。
【請求項６】
・荒天始風速（ＶＳＡ）と荒天上限風速（ＶＳＥ）の間において、
・無効電力（Ｑ）は無効電力（Ｑ）と風速（ＶＷ）の間の関係を定義する無効電力関数によって調節され、
該無効電力関数は、
・一次又は二次の多項式関数、及び／又は、
・ヒステリシス関数
であること
を特徴とする請求項１〜５の何れかの方法。
【請求項７】
電気供給ネット（１４）に電気エネルギを供給するための風力発電装置（１）であって、請求項１〜６の何れかの方法を実行するよう構成されること
を特徴とする風力発電装置。
【請求項８】
該風力発電装置（１）は、
・発電機公称出力を生成するよう構成されている発電機（２）を有し、及び
・前記供給を実行するための給電装置を有すること、ここに、該給電装置は、発電機公称出力の供給のための供給電流よりも大きい最大供給電流を供給するよう構成されていること
を特徴とする請求項７の風速発電装置。
【請求項９】
給電装置は複数の給電ユニット（８）ないし複数のパワーキャビネット（８）、を有し、
風力発電装置（１）によって生成可能な出力の供給に必要であるよりも多くの給電ユニット（８）ないしパワーキャビネット（８）が設けられること
を特徴とする請求項７又は８の風力発電装置。
【請求項１０】
電気供給ネット（１４）に電気エネルギを供給するためのウインドパーク（１１２）であって、
該ウインドパーク（１１２）は該供給のために請求項１〜６の何れかの方法を使用するよう構成されること
を特徴とするウインドパーク。
【請求項１１】
ウインドパーク（１１２）は当該ウインドパーク（１１２）の制御のための中央制御ユニットを有し、及び、前記供給のための方法の実行のための方法ステップは該中央制御ユニットで実行されること
を特徴とする請求項１０のウインドパーク。
【請求項１２】
ウインドパーク（１１２）は当該ウインドパーク（１１２）が設計されている最大有効電力の供給のための電流よりも大きい電流を供給するよう設計されていること
を特徴とする請求項１０又は１１のウインドパーク。
【請求項１３】
ウインドパーク（１１２）は請求項７〜９の何れかの風力発電装置（１）を１又は２以上有すること
を特徴とする請求項１０〜１２の何れかのウインドパーク。
【発明の詳細な説明】
【技術分野】
【０００１】
本発明は、風力発電装置又はウインドパークによって電気供給ネット（電力系統）に電気エネルギを供給するための方法に関する。更に、本発明は、電気供給ネットに電気エネルギを供給するための風力発電装置に関する。更に、本発明は、電気供給ネットに電気エネルギを供給するためのウインドパークに関する。
【背景技術】
【０００２】
風力発電装置によって又は複数の風力発電装置を含むウインドパークによって電気供給ネットに電気エネルギを供給することは、一般的に知られている。更に、風力発電装置ないしウインドパークがエネルギの単なる供給に加えてネット（系統）支援の役割を担うことも知られている。そこで、ここでは、交流電圧ネットとして一般的に通常の電気供給ネットを出発点とする。
【先行技術文献】
【特許文献】
【０００３】
【特許文献１】US 6,965,174 B2
【特許文献２】US 7,638,893 B2
【特許文献３】DE 10 2010 006 142 A1
【特許文献４】US 2011/0148114 A1
【発明の概要】
【発明が解決しようとする課題】
【０００４】
風力発電装置によるネット支援を記載する初期の文献として例えば米国特許6,965,174がある。この文献は、とりわけ、１つの風力発電装置によって給電を行う場合における位相角の調節を記載している。その後、例えば米国特許7,638,893に記載されているように、１つのウインドパークのための方法も記載されている。
【０００５】
そのような方法はネットを監視し、場合によってはネットにおける変化に応答する。現在では、ネットにおける風力エネルギの割合は少なくとも数カ国又は数地域では大きく増大しており、そのため、エネルギ供給は、従って場合によってはネット安定性も、支配的な（優勢な）風条件にますます依存し得る。この問題はエネルギ中間貯蔵によって対応可能ではある。しかしながら、そのような中間貯蔵装置は費用がかさむことがあり、また、存在しないか又は十分な規模では存在しないことが多い。
【０００６】
それゆえ、本発明の課題は上述の問題の少なくとも１つに対処することである。とりわけ、風力発電装置によるネット支援の更なる改善を可能にする解決策の提案が望まれる。少なくとも、代替的解決策の提案が望まれる。
【０００７】
なお、ドイツ特許商標庁は本件ＰＣＴ出願の優先権主張の基礎出願において以下の先行技術を調査した：DE 10 2010 006 142 A1、US 6,965,174 B2、US 7,638,893 B2及びUS 2011/0148114 A1。
【課題を解決するための手段】
【０００８】
本発明により、請求項１に記載の方法が提案される。即ち、上記の課題を解決するために、本発明の一視点により、風力発電装置又はウインドパークによって電気供給ネットに電気エネルギを供給するための方法が提供される。この方法において、
・風力発電装置又はウインドパークは風速が変化する風の運動エネルギを電気エネルギに変換し、
・風力発電装置又はウインドパークは有効電力と無効電力を供給するよう構成され、
・供給されるべき無効電力は風速に依存して調節されること、
荒天始風速を超える領域において、
・無効電力は風速の上昇と共に増大され、及び／又は
・無効電力は風速の低下と共に減少されること
を特徴とする（形態１・第１基本構成）。
【発明を実施するための形態】
【０００９】
この方法によれば、電気エネルギは風力発電装置又はウインドパークによって電気供給ネット（電力系統）に供給される。その際、風力発電装置ないしウインドパークは風の運動エネルギを電気エネルギに変換する。この場合、風は変化する風速を有することが考慮される。
【００１０】
ここで、風速を考える場合、例えば１０秒平均値、１分平均値又は１０分平均値のような既知の平均値を使用する。
【００１１】
更に、有効電力Ｐを供給するよう及び無効電力Ｑを供給するよう構成されている風力発電装置ないしウインドパークを出発点とする。
【００１２】
これに関連して、無効電力が風速に依存して調節されることが提案される。この提案は、供給される風エネルギがネット又はネット部分において優勢ないし支配的である場合にはとりわけ、周波数又は電圧振幅のようなネット状態は風速に依存し得るという認識に基づいている。尤も、少なくとも電圧振幅は、無効電力の供給によって風力発電装置から影響を受け得るが、この供給され得る無効電力は、少なくとも、供給可能な有効電力と比べると、風速に対する依存性ははっきりとより小さい。風力発電装置がとりわけいわゆるＳＴＡＴＣＯＭモードで運転される場合、風力発電装置はそのうえ風速に依存することなく、従って無風状態の場合でさえも、無効電力を供給することができる。
【００１３】
そこで、そのようなネット影響に事前に対応する（予防する）こと、従って、無効電力を風速に依存して供給し、以って、有効電力の風速に依存する供給ないしその結果として生じる効果に対し直接的に対抗作用する（阻害する）ことが、本発明に応じ提案される。
【００１４】
有利には、風速が荒天始風速（荒天最小風速：Sturmanfangswindgeschwindigkeit）を超えて上昇する場合、無効電力は増大される。そのような荒天始風速は、風力発電装置ないしウインドパークがその保護のために抑制（減速）制御される（abgeregelt）ときの風速である。風力発電装置の多くは、そのような荒天始風速の際には、その上、シャットダウン（スイッチオフ）される。
【００１５】
これは、まさに荒天風速の領域における強風の場合に、電気供給ネットへの給電に対する風速の影響が非常に大きいことがあり得るという認識に基づいている。このため、電気供給ネットの状態に対する影響も、１又は複数の風力発電装置が部分負荷領域即ち風が弱いために供給する電力が公称出力より小さい領域で運転される小さい風速の場合よりも、より大きいことがあり得る。これは、荒天状況の場合には、弱風の場合よりも、風速のより大きな変動が生じ得るという認識にも基づいている。これに応じて、そのような荒天状況の場合、供給出力のより大きな変動も予期し得る。
【００１６】
とりわけ問題なのは、風力発電装置又はウインドパーク又は隣接する風力発電装置（複数）若しくはウインドパーク（複数）が、（風速が）荒天風速に達すると、シャットダウンされるか、または、少なくとも有効電力を供給しない運転に切り替えられる場合である。即ち、この場合、極めて突然に極めて多くの電力が供給されなくなるという危険が生じる。有効電力の供給が遮断されると、とりわけネットに電力不足が生じるほどに多くの電力が遮断される場合には、大抵は何よりもまず周波数が低下するが、電圧の低下も起こり得る。この電圧低下に対しては無効電力の供給で対抗することが望まれる。荒天発生時に先回りして（予防的に）なされる無効電力のこの増大によって、ネットにおける上述の効果に事前対応する。
【００１７】
有利には、荒天始風速を超える領域において、無効電力は風速の更なる上昇と共に更に増大される。更に、風速が依然として荒天始風速を超える領域にある限り、無効電力を風速の低下と共に減少することが提案されるが、これらは組み合わせることも可能である。とりわけ有効電力供給が無効電力供給と反対の関係にある場合、これ（ら）によって、有効電力供給の荒天状態に依存する変化による効果に対し、既に先回りして（予防的に）対抗することができる。
【００１８】
有利には、荒天領域のために無効電力供給の連続的推移が予め設定される。ここで、そのような荒天領域は、風速が荒天始風速と荒天上限風速（荒天最大許容風速：Sturmendwindgeschwindigkeit）の間にある領域である。荒天上限風速とは風力発電装置ないしウインドパークが有効電力を電気供給ネットに最早供給しない風速であるが、ここでは、荒天始風速を超えて抑制（減速）制御されるが直ちにはシャットダウン（スイッチオフ）されない風力発電装置ないしウインドパークの挙動（運転状態）を出発点としている（想定している）。
【００１９】
かくして、無効電力を荒天始風速から荒天上限風速に連続的に増大することないしはその反対の場合に連続的に減少することが、この荒天領域について提案される。
【００２０】
とりわけ、無効電力は、荒天上限風速の際に、風力発電装置ないしウインドパークが無効電力として最大に供給可能な最大値に達した。この最大値は、風力発電装置のないしウインドパークの複数の風力発電装置のインバータのような給電ユニットによって及び／又は送電ケーブル断面積に依存する最大電流によって決定する（求める）ことができる。
【００２１】
荒天始風速を超える風速では、とりわけ荒天中間風速を超える風速では、値（大きさ）について（を基準として）、公称有効電力より大きい供給無効電力を選択することが、更なる一実施形態に応じ提案される。ここで基礎として用いられるものは、風力発電装置ないしウインドパークの特徴的な特性である風力発電装置ないしウインドパークの公称有効電力である。なお、荒天中間風速とは、荒天始風速と荒天上限風速の間にある風速であり、例えばこれら２つの風速の算術（相加）平均である。少なくとも、この実施形態によれば、荒天上限風速に達したとき又は少なくともほぼ達したとき、無効電力は、値（大きさ）について、公称有効電力より大きいことが望まれる。
【００２２】
ここで、公称有効電力の供給の際に生じる供給電流よりも大きい電流の供給に適する容量に設計された風力発電装置が基礎として用いられる、ないしは提案もされる。そのような設計によって、公称有効電力を供給しているときでさえも、その上更に無効電力を供給することが可能になる。この場合、公称有効電力を超える皮相電力が供給される。この実施形態は、有効電力が殆ど又は全く供給されない場合、風力発電装置ないしウインドパークの容量が無効電力の供給のために完全に使用することができるという認識に基づいている。かくして、風力発電装置が本来供給すべきであった有効電力よりも大きい値（大きさ）を有する無効電力の供給が可能になる。
【００２３】
有利には、荒天始風速と荒天上限風速の間の風速領域について、供給されるべき無効電力のために、無効電力と風速の間の関係を定義する無効電力関数が予め設定される。そのような無効電力関数は、有利には、一次又は二次の多項式関数として、即ち風速に依存する直線又は放物線関数として、予め設定される。追加的に又は代替的に、無効電力関数は、風速が増大する場合と低下する場合とで同じ風速値に対し少なくとも部分的に異なる無効電力値が定義されるよう、ヒステリシス関数として予め設定されることも可能である。多項式関数自体はヒステリシス関数であり得ないが、ヒステリシス関数は例えば異なるパラメータ（ないし係数）を有する２つの二次の多項式関数によって定義されることができる。そのような関数を使用するのが有利であるが、例えばより高次の多項式関数、三角関数（例えば正弦関数の一部分）又はスプライン関数（複数の支持点によって規定される１つの関数的関係を規定する関数）のような他の関数を使用することも可能である。
【００２４】
更に、電気供給ネットに電気エネルギを供給するための風力発電装置であって、少なくとも上述の実施形態の１つに応じた方法を実行するよう構成された風力発電装置が、本発明に応じて提案される。
【００２５】
有利には、この風力発電装置は、発電機公称（定格）出力を生成するよう構成されている発電機を有し、及び、上記供給を実行するための給電装置を有する。この給電装置は最大供給電流を供給するよう構成されており、この最大供給電流は発電機公称出力の供給のための供給電流よりも大きい。従って、この風力発電装置は、発電機公称出力が供給されている場合であっても、更に追加的に無効電力を供給するよう構成されている。
【００２６】
有利には、風力発電装置は、とりわけパワーキャビネット（Leistungsschrank）として構成されている複数の給電ユニットを有する。給電ユニットの数（これはとりわけそれらが夫々同じ大きさを有する場合）ないしパワーキャビネットの数は、供給可能な電力を、とりわけ供給可能な電流を規定する。発電機によって制限されている供給されるべき有効電力に応じ、相応に多数の給電ユニットないしパワーキャビネットが必要になる。そこで、この発電機公称出力の供給のために必要とされるよりもより多くの給電ユニットないしより多くのパワーキャビネットを備えることが提案される。とりわけ、少なくとも１つの更なる給電ユニット、とりわけ少なくとも２つの更なる給電ユニットが備えられる。必要であるよりより多くの給電ユニットのこの使用によって、無効電力の既述の超過供給が可能になる。
【００２７】
更に、複数の風力発電装置が組み合されてなるウインドパークが、本発明に応じて提案される。ウインドパークは、その限りにおいて、当該ウインドパークに組み込まれた複数の風力発電装置が同じネット接続点を介して電気供給ネットに給電することないしはその限りにおいて当該ウインドパークがこのネット接続点を介して電気供給ネットに給電することによって特徴付けられる。この提案に係るウインドパークもまた、給電のために上述の実施形態の１つに応じた方法を使用するよう構成されている。
【００２８】
有利には、ウインドパークは当該ウインドパークの制御のための中央制御ユニットを有し、前記給電（ないし供給）のための方法の実行のための方法ステップはこの中央制御ユニットで実行される。とりわけ供給されるべき無効電力の（予）設定値は、この実施形態に応じ、この中央制御ユニットで実行される。場合によっては、この中央制御ユニットは、更に、この計算ないし決定された無効電力を（絶対的（純粋）な値又はパーセント値での）無効電力目標値としてウインドパークの個々の風力発電装置に供給するよう構成されることができる。
【００２９】
有利には、ウインドパークは、当該ウインドパークが設計されている最大有効電力の供給のために必要とされる電流よりも大きい電流を供給するよう設計されている。その限りにおいて、この場合も、より大きな容量（設計）の給電ユニットが提案される。これは、ウインドパークが相応に多数の給電ユニットを備えることによっても実行することができる。
【００３０】
ウインドパークの風力発電装置の幾つか又はすべてが少なくとも１つの実施形態に基づき上述したような風力発電装置であると有利である。
【００３１】
ここに、本発明の好ましい実施の形態を示す。
（形態１）上記第１基本構成参照。
（形態２）上記形態１の方法において、風力発電装置又はウインドパークがその保護のために抑制制御される荒天始風速を超えて風速が上昇する場合、無効電力が増大されることが好ましい。
（形態３）上記形態１又は２の方法において、荒天始風速を超える領域において、
・無効電力は風速の更なる上昇と共に更に増大され、及び／又は
・無効電力は風速の低下と共に減少されることが好ましい。
（形態４）上記形態１〜３の何れかの方法において、荒天始風速を超える領域において、
・無効電力は、風力発電装置又はウインドパークが電気供給ネットに有効電力を最早供給しない荒天上限風速に風速が達するまで、風速の上昇と共に連続的に増大され、及び／又は
・無効電力は、風速が荒天始風速に達するまで、荒天上限風速未満の範囲で風速の低下と共に連続的に減少されることが好ましい。
（形態５）上記形態１〜４の何れかの方法において、
・風力発電装置又はウインドパークは公称有効電力を供給するよう構成され、及び
・荒天始風速を超える、とりわけ荒天始風速と荒天上限風速の間の荒天中間風速を超える、風速では、供給無効電力は、値について、公称有効電力より大きいことが好ましい。
（形態６）上記形態１〜５の何れかの方法において、
・荒天始風速と荒天上限風速の間において、
・無効電力は無効電力と風速の間の関係を定義する無効電力関数によって調節され、
該無効電力関数は、
・一次又は二次の多項式関数、及び／又は、
・ヒステリシス関数
であることが好ましい。
（形態７）電気供給ネットに電気エネルギを供給するための風力発電装置であって、上記形態１〜６の何れかの方法を実行するよう構成される風力発電装置も有利に提供される（第２基本構成）。
（形態８）上記形態７の風力発電装置は、
・発電機公称出力を生成するよう構成されている発電機を有し、及び
・前記供給を実行するための給電装置を有すること、ここに、該給電装置は、発電機公称出力の供給のための供給電流よりも大きい最大供給電流を供給するよう構成されていることが好ましい。
（形態９）上記形態７又は８の風力発電装置において、
給電装置は複数の給電ユニット、とりわけ複数のパワーキャビネット、を有し、
風力発電装置によって生成可能な出力、とりわけその公称出力、の供給に必要であるよりも多くの給電ユニットないしパワーキャビネットが設けられることが好ましい。
（形態１０）電気供給ネットに電気エネルギを供給するためのウインドパークであって、該供給のために上記形態１〜６の何れかの方法を使用するよう構成されるウインドパークも有利に提供される（第３基本構成）。
（形態１１）上記形態１０のウインドパークは、当該ウインドパークの制御のための中央制御ユニットを有し、及び、前記供給のための方法の実行のための方法ステップは該中央制御ユニットで実行されることが好ましい。
（形態１２）上記形態１０又は１１のウインドパークは、当該ウインドパークが設計されている最大有効電力の供給のための電流よりも大きい電流を供給するよう設計されていることが好ましい。
（形態１３）上記形態１０〜１２の何れかのウインドパークは、上記形態７〜９の何れかの風力発電装置を１又は２以上有すること、とりわけ該ウインドパークのすべての風力発電装置が上記形態７〜９の何れかの風力発電装置であることが好ましい。
以下に、本発明を実施例に基づき添付の図面を参照して例示的に説明する。
なお、特許請求の範囲に付した図面参照符号は専ら発明の理解を助けるためのものであり、本発明を図示の態様に限定することは意図しない。
【図面の簡単な説明】
【００３２】
【図１】風力発電装置の一例の模式的斜視図。
【図２】ウインドパークの一例の模式図。
【図３】一実施形態に応じた、供給されるべき無効電力Ｑ及び供給されるべき有効電力Ｐと風速との関係を表すグラフの模式図。
【図４】複数の給電ユニットを有する風力発電装置の一例の構造の模式図。
【実施例】
【００３３】
図１は、タワー１０２とゴンドラ（ナセル）１０４を有する風力発電装置１００の一例を示す。ゴンドラ１０４には、３つのロータブレード１０８とスピナ１１０を有するロータ１０６が配されている。ロータ１０６は、運転時、風によって回転運動し、それによって、ゴンドラ１０４内の発電機を駆動する。
【００３４】
図２は、例として３つの同一に又は異なるように構成可能な風力発電装置１００を有するウインドパーク１１２の一例を示す。即ち、これらの３つの風力発電装置１００は、ウインドパーク１１２の原理的に任意の数の風力発電装置を代表している。これらの風力発電装置１００は、その出力を即ちとりわけ生成した電流を電気的パークネット１１４を介して提供する。そこでは、個々の風力発電装置１００のその都度生成された電流ないし出力は合算され、大抵は、ウインドパークの電圧を昇圧した後、一般的にＰＣＣとも称される給電点１１８において電気供給ネット１２０に供給する変圧器１１６が設置されている。図２は、ウインドパーク１１２の一例の単純化した図を示しているに過ぎず、例えば制御システムは図示されていないが、勿論、制御システムは存在する。更に、例えばパークネット１１４は異なるように、例えば各風力発電装置１００の出力端に夫々１つの変圧器を設けるように、構成することも可能である。尤も、この例は他の実施例の１つを挙示したに過ぎないことに留意すべきである。
【００３５】
図３のグラフには、横軸に風速ＶＷがプロットされており、グラフはまず荒天始風速ＶＳＡから始まっている。なお、風がより弱い（風速がより小さい）領域は、以下の説明のためには重要ではない。
【００３６】
縦軸には、無効電力Ｑと有効電力Ｐがプロットされている。縦軸は、０から始まり公称有効電力ＰＮに達している。その限りにおいて、無効電力Ｑと有効電力Ｐの尺度（Skalierung）は同じであるが、この場合、１ワット（Ｗ）は１ボルトアンペアリアクティブ（ＶＡｒ）に相当すると理解することができる。
【００３７】
グラフは、有効電力Ｐは荒天始風速ＶＳＡのとき公称出力ＰＮを有することを示している。この有効電力は風速の上昇と共に連続的に減少して荒天上限風速ＶＳＥには０になる。
【００３８】
これに対し、無効電力Ｑは荒天始風速ＶＳＡから荒天上限風速ＶＳＥまで連続的に増大する。図示の例では、無効電力Ｑは最大供給可能無効電力Ｑｍａｘに達した。無効電力Ｑが風速が上昇してもこの値を維持することができると有利である。
【００３９】
風速ＶＷに対する無効電力Ｑ’の依存性の他の一例として、無効電力Ｑ’が荒天始風速ＶＳＡで既に０より大きくなっている推移が破線で示されている。この推移では、荒天中間風速ＶＳＭで既に無効電力Ｑ’が値（ないし大きさ）に関し公称出力ＰＮの値に達していることも見出すことができる。この場合、無効電力Ｑ’は、例えば荒天始風速ＶＳＡより少々小さい風速では、場合によっては所定のネット状態に基づいて調節されていた一定の値を有していた可能性がある。
【００４０】
この限りで、図３は、無効電力ＱないしＱ’について、無効電力を風速に依存して（予め）設定する２つのバリエーションを示している。Ｑ’という符号は、単に、バリエーションの１つを表すために使用されたに過ぎない。そのほかに、このＱ’は、Ｑと同様に、夫々説明した実施形態の供給されるべき無効電力を表している。
【００４１】
図４は、発電機２を有する風力発電装置１の一例を模式的に示す。この発電機２は例として２ＭＷの公称出力で設計されている。図示の実施例は、発電機２の全出力を整流し、バスバー６を介してスイッチキャビネットないし給電ユニット８に供給する整流器４を有する。
【００４２】
従って、給電ユニット８のすべてが同じバスバー６に接続されており、これらの給電ユニット８の各々が、アウトプットライン１０に供給される３相交流電流を生成する。そして最後に、アウトプットライン１０から、模式的に示した電気供給ネット１４への変圧器１２を介した給電が実行される。
【００４３】
各給電ユニットないし各スイッチキャビネット８は３相電流の供給用に設計されているが、この電流は、１ＭＷの有効電力のみが供給されるとした場合に生じる電流に相当するであろう。そのような１ＭＷスイッチキャビネットが３つ配されているため、これらは、２ＭＷ発電機２が有効電力のみを供給するためには容量過多である。このようなスイッチキャビネット８によって、２ＭＷの全有効電力の供給に加えて、更に無効電力を供給することが可能になる。これによって更に、供給される有効電力が相応に小さい場合であっても、２ＭＶＡｒを超える無効電力Ｑを供給することが可能になる。理論的には、有効電力が供給されない場合は、３ＭＶＡｒまでは、これらの３つのスイッチキャビネット８によって供給することができる。
【図１】
0006310079.tif 000002
【図２】
0006310079.tif 000003
【図３】
0006310079.tif 000004
【図４】
0006310079.tif 000005